(57)【要約】  【課題】  簡単な装置により短時間で透明イオン交換樹脂を高精度で検出でき、アニオン交換樹脂が一部残留してのぞき窓より奥のカチオン交換樹脂層の上に堆積しまたは舞い上がる場合でも、カチオン交換樹脂層と水相の界面の検出が容易なイオン交換樹脂層の検出装置を提案する。  【解決手段】  被検出部に存在するイオン交換樹脂層３を、透光面を通して検出する方法であって、光源から被検出部に狭半値角の照射光を照射し、被検出部におけるイオン交換樹脂層３からの反射光を撮像部材で受光して撮像し、撮像画面２３の画像信号から、データ処理部において、高輝度領域に含まれる上下方向の画素列を走査して輝度信号を取出し、イオン交換樹脂層３の有無を検出し、撮像モード制御部により光源の照射モードおよび／または撮像部材の撮像モードを切り替えてイオン交換樹脂層３の有無を検出し、  異なるモードの検出結果からイオン交換樹脂層３の界面を判定する。  【選択図】      図５
2007209882.tif 000002
【特許請求の範囲】
【請求項１】
被検出部に存在するイオン交換樹脂層を検出するための装置であって、
被検出部に狭半値角の照射光を照射する光源と、
被検出部におけるイオン交換樹脂層からの反射光を受光して撮像する撮像部材と、
光源の照射モードおよび／または撮像部材の撮像モードを切り替える撮像モード制御部と、
撮像した画面の画像信号から、高輝度領域に含まれる上下方向の画素列を走査して輝度信号を取出してイオン交換樹脂層の有無を検出し、異なるモードの検出結果からイオン交換樹脂層の界面を判定するデータ処理部と、
を備えたイオン交換樹脂層の検出装置。
【請求項２】
撮像モード制御部が、標準照射モードおよび標準撮像モードから、残留樹脂の撮像を行わない特殊照射モードおよび／または特殊撮像モードに切り替えるように構成された請求項１記載の装置。
【請求項３】
標準照射モードおよび標準撮像モードが、被検出部の全体を照射および撮像するモードである請求項２記載の装置。
【請求項４】
特殊撮像モードが、界面より下部の樹脂層を照射および／または撮像するモードである請求項２記載の装置。
【請求項５】
被検出部に存在するイオン交換樹脂層を検出する方法であって、
光源から被検出部に狭半値角の照射光を照射し、
被検出部におけるイオン交換樹脂層からの反射光を撮像部材で受光して撮像し、
撮像した画面の画像信号から、データ処理部において、高輝度領域に含まれる上下方向の画素列を走査して輝度信号を取出し、イオン交換樹脂層の有無を検出し、
撮像モード制御部により光源の照射モードおよび／または撮像部材の撮像モードを切り替えてイオン交換樹脂層の有無を検出し、
異なるモードの検出結果からイオン交換樹脂層の界面を判定する
ことを特徴とするイオン交換樹脂層の検出方法。
【請求項６】
撮像モード制御部により、標準照射モードおよび標準撮像モードから、残留樹脂の撮像を行わない特殊照射モードおよび／または特殊撮像モードに切り替える請求項５記載の方法。
【請求項７】
撮像モード制御部により、被検出部の全体を照射および撮像する標準照射モードおよび標準撮像モードから、界面より下部の樹脂層を照射および／または撮像する特殊照射モードおよび／または特殊撮像モードに切り替える請求項５記載の方法。
【発明の詳細な説明】
【技術分野】
【０００１】
本発明は、イオン交換樹脂の検出方法および装置に関し、特にカチオン交換樹脂、アニオン交換樹脂などの透明液体中に存在するイオン交換樹脂層の界面を検出するのに適したイオン交換樹脂の検出装置および方法に関するものである。
【背景技術】
【０００２】
イオン交換樹脂を用いる混床式のイオン交換装置では、カチオン交換樹脂およびアニオン交換樹脂の混合樹脂が充填される分離塔と、この分離塔の下部に逆洗水を導入する給水管と、この給水管に設けられた流量調節弁と、分離塔の上部から逆洗排水を排出する排水管と、分離されたアニオン交換樹脂を排出するように分離塔内に開口する樹脂移送管とが設けられている。このイオン交換装置の再生に際しては、給水管から逆洗水を導入して、樹脂層内を上向流で通水して樹脂の逆洗分離を行い、樹脂層の分離界面を樹脂移送管の開口面に一致させて、アニオン交換樹脂を樹脂移動管から移送することによりイオン交換樹脂を分離している。このような装置では、樹脂層の分離界面付近に光学的な検出器を設け、検出器からの界面検出信号により樹脂移送管の開口面を基準面として、樹脂層の分離界面が基準面より高いときは前記流量調節弁を絞り、低いときには開いて分離界面を樹脂移送管の開口面に一致させるように流量調節弁を自動制御することにより、樹脂分離が自動化されている。
【０００３】
特許文献１（特許第２６２１５７５号）には、このようなイオン交換装置において、樹脂層の分離界面を検出するために、樹脂層に投光する投光部および反射光を受光する受光部を有する複数の色判別センサーを分離界面付近の上下方向に配置した界面検出器が示されている。この特許文献１では、受光素子の受光位置における検出対象樹脂の色調差（階調差）により界面を検出して、アニオン交換樹脂とカチオン交換樹脂の分離を行っており、分離塔の特定領域に特定波長域の光源を照射し、前記特定領域に存在する樹脂の色素に依存する反射光の波長信号の強弱を基とした検出方法である。
【０００４】
特許文献２（特開２００４−９８０１１号）には、分離塔に充填されたイオン交換樹脂層を、その側方から撮像して分離塔の所定の高さ位置における所定領域の前記イオン交換樹脂層の画像を求める撮像工程と、この撮像工程で得られた画像を構成する画素信号を判定してイオン交換樹脂に相当する画素信号を判定する画素判定工程と、このイオン交換樹脂に相当する画素信号の画素数または画像の所定領域中における画素信号が占める面積割合から前記画像におけるイオン交換樹脂層の種別を求める樹脂判定工程と、判定された樹脂層に応じて前記画像の撮像範囲内にイオン交換樹脂層の境界面を判定する境界面判定工程とを備える界面検出方法が示されている。この方法は、アニオン交換樹脂とカチオン交換樹脂のそれぞれの色素成分を基に撮像面内に存在する画素数を求め、その存在割合（面積比率）によって界面を検出するという方法である。
【０００５】
これらの方法はいずれも、光の照射による評価領域における樹脂層の色（または特定波長のレベル）の検出を基本とした考え方であるため、照射する照明手段は評価領域の全体に対して、できるだけ均一な光を照射し、反射光の階調を評価して、界面の検出を行うことを基本とした考え方である。特許文献１においても、計測位置の反射レベルを検出するという観点から、検出位置に光度の高い光を投射しており、期待しているのは照射領域からの全体としての反射光レベルである。そしてこれらの方法では、全体としての反射光から得られる樹脂層の表面（観察面）の状態を受光部に結像させ、その表面の状態を色（階調）として検出している。
【０００６】
このような従来の方法では、ポーラス型イオン交換樹脂のように、樹脂がそれぞれ特有の色調を有し、反射光の階調差によりそれぞれの樹脂の色調を識別できる場合には問題がない。しかし、ゲル型カチオン交換樹脂のような透明樹脂の検出は、階調差による識別では、検出が困難である。ゲル型樹脂は無色透明、または微弱な色を持った着色透明であるため、従来のように照射光は透過し、反射光は微弱であるため、樹脂層の表面（観察面）の状態を受光部に結像させることができず、受光器または撮像機で反射光による樹脂層の検出を行うことができない。この場合、照射光の強度を高めても、反射光の強度はそれほど増加せず、透明樹脂の検出精度は向上しない。のぞき窓のような透光面を通して樹脂を検出する場合、透光面からの反射光と樹脂層からの反射光とが重なるため、ノイズが大きくなり、検出精度は向上しない。特に光の照射領域が広いと、透光面（のぞき窓）からの反射光が受光素子ないし撮像機に入りやすく、樹脂層からの反射光との重なりを避けることができない。
【０００７】
このように従来法のような樹脂色を基本とした階調差による検出方法では、色調を有するアニオン交換樹脂の検出は可能であったが、透明樹脂の検出はできなかった。特に透明樹脂が水中にある場合、水と透明樹脂（特にゲル型カチオン交換樹脂）の区別ができず、アニオン交換樹脂を除去した後のゲル型カチオン交換樹脂と水との区別が困難となっていた。このためアニオン交換樹脂を除去した後のカチオン交換樹脂層の界面位置が検出できず、逆洗水の上昇流の制御に支障を生じていた。
【０００８】
このような点を解決するため、未公開の特許文献３（特願２００４−２１９６８９号）に、被検出部に存在するイオン交換樹脂を、透光面を通して検出する方法であって、光源から被検出部に光を照射し、イオン交換樹脂からの反射光を結像部材で受けて光源の実像を撮像部材に結像させ、透光面からの反射光とイオン交換樹脂からの反射光が重ならない位置において、撮像部材から撮像信号を取出して検出装置でイオン交換樹脂を検出する装置および方法が提案されている。これにより透明粒状のイオン交換樹脂を高精度で検出でき、透光面を通して検出する場合でも高精度で検出でき、また透明液体中にある場合でも透明粒状のイオン交換樹脂と透明液体とを識別することができる。
【０００９】
このような特許文献３の検出装置および方法において、イオン交換樹脂からの反射光を結像部材で受けて光源の実像を結像させる撮像部材は、特許文献２の場合と同様にＣＣＤカメラ等の撮像部材が用いられ、この撮像部材で撮像した撮像画面の全画像信号を取出して検出装置で画像処理し、イオン交換樹脂を検出している。この場合、全画面の画像信号を取出してメモリーにデータとして記憶させ、このデータを演算装置で例えば水平方向に走査して輝度の平均値および振幅を求め、イオン交換樹脂層の有無および界面を検出する例が示されている。
【００１０】
しかしながらこのようなデータ処理方法では、全画面の画像信号を取出して記憶させ、このデータをさらに演算装置で処理するため、データ処理が複雑で長時間を要するほか、アルゴリズムが複雑となり、システム全体が複雑で、大容量化、大型化するなどの問題点がある。この点を改善するために、撮像した画面の画像信号から、データ処理部において、高輝度領域に含まれる上下方向の画素列を走査して輝度信号を取出し、イオン交換樹脂層の有無を検出する方法を見出した。この手法を用いた場合、のぞき窓に隣接するイオン交換樹脂層の検出は容易であるが、のぞき窓より奥に一部残留するイオン交換樹脂の検出は困難である。例えばアニオン交換樹脂が排出され、カチオン交換樹脂の上に水相が形成された場合でも、アニオン交換樹脂が一部残留し、これがのぞき窓より奥のカチオン交換樹脂層の上に堆積する場合、あるいは水相に舞い上がる場合には、着色した少量のアニオン交換樹脂は、輝度レベルが飽和せずに分散した状態になるため、カチオン交換樹脂との識別が困難であり、カチオン交換樹脂層と水相の界面の検出が困難になる。
【００１１】
また輝度補正を自動的に行うために、ＡＧＣ（Auto Gain Control）機構と呼ばれる受光量を自動的に調整する機構を備えた撮像部材が使用されるが、のぞき窓を通して樹脂に対して光を照射した場合、照明光の指向角が広いと、のぞき窓を通して樹脂層に対して、広い範囲にわたって光が照射され、撮像画面の広い領域の輝度が高くなり、高い平均輝度を基準として輝度制御が行われる。そのため撮像される面全体が明るくなってしまい、高輝度の領域の輝度の差が強調され、低輝度の領域の受光感度が低く調整される。イオン交換樹脂の場合、アニオン交換樹脂の輝度が高いため、アニオン交換樹脂層の微かな輝度の差が強調されてアニオン交換樹脂層の存在が不明確になり、またカチオン交換樹脂層の輝度が低くなり、カチオン交換樹脂層と水相の区別ができにくくなる。この現象は、側光領域の輝度を基準とすることにより生じるものであるため、透光面からの反射光と粒状樹脂からの反射光が重ならない位置において像信号を取出す場合においても生じる。
【特許文献１】特許第２６２１５７５号
【特許文献２】特開２００４−９８０１１号
【特許文献３】特願２００４−２１９６８９号
【発明の開示】
【発明が解決しようとする課題】
【００１２】
本発明の課題は、簡単な装置により短時間で透明イオン交換樹脂を高精度で検出でき、透明イオン交換樹脂層が透明液体中にある場合でも透明イオン交換樹脂層と透明液体とを識別することができ、またアニオン交換樹脂が一部残留してのぞき窓より奥のカチオン交換樹脂層の上に堆積しあるいは舞い上がる場合でも、カチオン交換樹脂層と水相の界面の検出が容易なイオン交換樹脂層の検出装置および方法を提案することである。
【００１３】
本発明は、次のイオン交換樹脂層の検出装置および方法である。
（１）  被検出部に存在するイオン交換樹脂層を検出するための装置であって、
被検出部に狭半値角の照射光を照射する光源と、
被検出部におけるイオン交換樹脂層からの反射光を受光して撮像する撮像部材と、
光源の照射モードおよび／または撮像部材の撮像モードを切り替える撮像モード制御部と、
撮像した画面の画像信号から、高輝度領域に含まれる上下方向の画素列を走査して輝度信号を取出してイオン交換樹脂層の有無を検出し、異なるモードの検出結果からイオン交換樹脂層の界面を判定するデータ処理部と、
を備えたイオン交換樹脂層の検出装置。
（２）  撮像モード制御部が、標準照射モードおよび標準撮像モードから、残留樹脂の撮像を行わない特殊照射モードおよび／または特殊撮像モードに切り替えるように構成された上記（１）記載の装置。
（３）  標準照射モードおよび標準撮像モードが、被検出部の全体を照射および撮像するモードである上記（２）記載の装置。
（４）  特殊撮像モードが、界面より下部の樹脂層を照射および／または撮像するモードである上記（（２）記載の装置。
（５）  被検出部に存在するイオン交換樹脂層を検出する方法であって、
光源から被検出部に狭半値角の照射光を照射し、
被検出部におけるイオン交換樹脂層からの反射光を撮像部材で受光して撮像し、
撮像した画面の画像信号から、データ処理部において、高輝度領域に含まれる上下方向の画素列を走査して輝度信号を取出し、イオン交換樹脂層の有無を検出し、
撮像モード制御部により光源の照射モードおよび／または撮像部材の撮像モードを切り替えてイオン交換樹脂層の有無を検出し、
異なるモードの検出結果からイオン交換樹脂層の界面を判定する
ことを特徴とするイオン交換樹脂層の検出方法。
（６）  撮像モード制御部により、標準照射モードおよび標準撮像モードから、残留樹脂の撮像を行わない特殊照射モードおよび／または特殊撮像モードに切り替える上記（５）記載の方法。
（７）  撮像モード制御部により、被検出部の全体を照射および撮像する標準照射モードおよび標準撮像モードから、界面より下部の樹脂層を照射および／または撮像する特殊照射モードおよび／または特殊撮像モードに切り替える上記（５）記載の方法。
【００１４】
本発明において検出の対象となるイオン交換樹脂層は、光源からの光を反射（鏡面反射）する反射面（鏡面）を有する粒状のイオン交換樹脂からなるが、粒状樹脂の反射面は光源の実像を結像させることができるように、実質的に鏡面反射するものが好ましい。粒状樹脂が透明液体中に存在することによって反射面が形成される粒状物も検出の対象となる。イオン交換樹脂層は透明でなくてもよく、また経時変化により鏡面反射度が低下したものでもよい。透明樹脂という場合、着色透明、半透明を含む。粒状樹脂の形状は、球状、だ円球状のものが好ましい。このような粒状イオン交換樹脂としては、透明なゲル型カチオン交換樹脂が対象として適している。イオン交換樹脂の場合、透明なゲル型カチオン交換樹脂とともに不透明なゲル型アニオン交換樹脂等が共存していてもよい。
【００１５】
被検出部はこのようなイオン交換樹脂層が存在する部分、特にカチオン交換樹脂、アニオン交換樹脂などのイオン交換樹脂層の界面が存在する部分であり、このような部分に本発明の検出装置を配置して、イオン交換樹脂層の検出を行う部分である。被検出部は、のぞき窓のような透光面を通してイオン交換樹脂層を検出するように構成されたものでもよい。イオン交換樹脂層が水等の透明液体中に存在する場合は、容器自体が透明で透光面となるもののほか、容器自体は不透明でも、のぞき窓のような透光面を通して内部の粒状物を検出するように構成されたものでもよい。
【００１６】
検出装置の構成要素としての光源は、被検出部に光を照射するものであり、ＬＥＤ、ハロゲン光源、蛍光灯、タングステン球、キセノン球等の発光素子を使用できるが、狭半値角の照射光を照射する光源を使用する。光源の半値角は、相対発光光度がピーク値に対して50％になるところの光軸からのずれ角度の２倍の角度であり、半値角３０度（０±１５°）以下、好ましくは２０度（０±１０°）以下のものが好ましい。このような光源としては、ＬＥＤのように半値角の狭いものはそのまま使用できるが、レンズ等により半値角を調整することもできる。光源は、半値角内の高輝度領域が被検出部の１／２以下、好ましくは１／３以下となるように被検出部に照射する位置に配置するのが好ましい。イオン交換樹脂層の場合、アニオン交換樹脂層およびカチオン交換樹脂層の界面を横切るように、被検出部であるのぞき窓の片側に寄せて、上下方向に間隔を置いて複数個を列状、好ましくは直線状に配置するのが好ましい。
【００１７】
撮像部材は、被検出部に存在するイオン交換樹脂層からの反射光を受光して撮像するものであり、ＣＣＤカメラ、ＣＭＯＳセンサーなどの２次元的に信号を取出せるイメージセンサが使用される。この撮像部材は、輝度制御を行うＡＧＣ機構を有し、半値角外の低輝度領域を含む領域の輝度を測光して輝度制御するものが好ましい。ＡＧＣ機構の測光方式は、半値角内の高輝度領域の高輝度部分のみを測光するピーク測光方式以外の方式であればよいが、半値角外の低輝度領域の輝度を測光し、または半値角外の低輝度領域を含む領域の平均輝度を測光して輝度制御するものが好ましい。この撮像部材は、照射光の半値角内の高輝度領域および半値角外の低輝度領域を含む被検出部の全領域を撮像するように配置される。輝度制御の方法は、絞り、露出等を光学的に制御するもののほか、電子的に輝度を制御するものでもよい。
【００１８】
撮像部材は、被検出部に存在する粒状イオン交換樹脂からの反射光を受けて光源の実像を撮像面に結像させるように、レンズ等の結像部材を含むものが使用される。結像部材は、被検出部の表面（透光面がある場合は透光面と内部の粒状物層の界面）または粒状物の表面状態、形状等の実像を結像させるものではなく、粒状物の表面に映り込む光源の実像を結像させるものであるから、結像部材の焦点は、被検出部または粒状物の表面ではなく、粒状物の表面に映り込む光源の虚像の位置である。虚像の位置は、平面鏡の場合は光源からの距離分だけ隔たった反射面の反対側の位置であるが、粒状物の場合はその位置から粒状物表面の曲率半径に対応した分だけ反射面側に近よった位置になる。
【００１９】
撮像部材を配置する位置は、イオン交換樹脂層からの反射光を受けて光源の実像を撮像面上に結像させる位置である。透光面を通して粒状物を検出する場合は、透光面からの反射光とイオン交換樹脂層からの反射光が重ならないように撮像部材を配置するのが好ましい。のぞき窓のような透光面は通常透明な平板ガラスが用いられるが、照射光の一部はこの透光面で反射する。この透光面からの反射光とイオン交換樹脂層からの反射光が重なると、イオン交換樹脂層からの反射光は微弱であるため検出されなくなる。透光面からの反射光と粒状物からの反射光が重ならない位置において輝度信号を取出すことが可能であれば、結像する実像の一部に透光面からの反射光が重なっていてもよいが、結像する実像に透光面からの反射光が重なっていない方が、透光面からの反射光によるハレーション等の影響を防止できるとともに、撮像部材による輝度信号取出領域を広くでき好ましい。
【００２０】
撮像モード制御部は、光源の照射モードおよび／または撮像部材の撮像モードを切り替えるように構成される。通常の標準照射モードは、上下方向に並べて配置された複数の光源の全てを点灯し、それぞれ被検出部に対して垂直方向に照射光を照射するモードであり、通常の標準撮像モードは、複数の光源の群に対応して配置された複数の撮像部材をそれぞれ被検出部に対して垂直方向に配置して、それぞれの領域を均等に撮像するモードである。これらのモードで正確な信号が得られないときに補正する信号を得るために、特殊照射モードとして、界面より下部の光源を点灯し、被検出部に対して垂直方向に照射光を照射するモード、あるいは界面より下部の光源を斜上方向に点灯し、被検出部に対して斜上方向に照射光を照射するモードなどがあげられる。また特殊撮像モードとして、界面より下部の撮像部材により界面より下部の被検出部のみを撮像するモード、あるいは界面より下部の撮像部材を斜上方向に向けて撮像するモードなどがあげられる。
【００２１】
データ処理部は、撮像部材により撮像した画面の画像信号から、高輝度領域に含まれる上下方向の画素列を走査して輝度信号を取出し、イオン交換樹脂層の有無を検出するように構成されるが、特に複数の画素列を走査して輝度信号を比較し、データを補正するように構成されるのが好ましい。データ処理部は、画像処理部、演算判定部等を含むものを用いることができる。透光面を通して被検出部に存在するイオン交換樹脂層を検出する場合は、透光面からの反射光とイオン交換樹脂層からの反射光が重ならない位置において画像信号を走査し、輝度信号を取出すように構成される。イオン交換樹脂層として、アニオン交換樹脂層およびカチオン交換樹脂層の界面を検出する場合、データ処理部は、樹脂層の界面を横切るように、配置された複数個の光源の列に沿って、上下方向に画像の高輝度領域を走査し、樹脂層の界面を横切る画素列の輝度信号を得、各位置の輝度の値を比較して樹脂層の界面を検出することができる。
【００２２】
データ処理部におけるイオン交換樹脂層の検出は、走査により得られる画素列の輝度レベルにより判定するように構成される。水相は反射光がないため輝度レベルはゼロになる。アニオン交換樹脂層は着色不透明樹脂であるため反射光が多く、輝度レベルは飽和レベルに達する。これに対してカチオン交換樹脂層は光源が映り込んだ画像が得られるため、ダイヤモンドダスト状に光輝部が分散した状態であり、輝度レベルは中間値で変動する。このような標準値を設定値として記憶させておき、走査により得られる画素列の輝度レベルを上記の標準値と比較することにより、それぞれの樹脂層および界面を検出するように構成することができる。またデータ処理部は、正確な信号が得られないときに補正する信号を得るために、光源の照射モードおよび／または撮像部材の撮像モードを切り替えて撮像し、異なるモードの検出結果からイオン交換樹脂層の界面を判定するように構成される。
【００２３】
上記の輝度レベルの標準値は、ＡＧＣ機構により撮像部材の感度が適正に制御された状態のものであり、前述のように高い輝度を基準として輝度制御が行われ、撮像画面全体が明るくなってしまうと、高輝度のアニオン交換樹脂の輝度の差が強調されて輝度レベルの値が変動し、アニオン交換樹脂層の存在が不明確になる。低輝度の領域の受光感度が低く調整され、カチオン交換樹脂層の輝度レベルが低くなって、カチオン交換樹脂層と水相の区別ができにくくなるとともに、カチオン交換樹脂層の輝度レベルの値は変動するため、カチオン交換樹脂層とアニオン交換樹脂層の界面が不明確になる。このような状態はＡＧＣ機構により撮像部材の感度を適正に制御することにより前記標準状態に調整することができる。
【００２４】
光源、撮像部材、撮像モード制御部、データ処理部等は、それぞれ別の部材を組み合わせて配置することもできるが、これらの一部または全部が組み合わされて一体化された部材がある場合は、そのような組み合わされた部材を用いることができる。光源は上下方向に沿って列状に配置することができ、その複数個の光源の群に対応して撮像部材を複数個配置して、被検出部の異なる部分を撮像することができる。この場合、データ処理部は、複数の撮像部材の撮像画像を組み合わせた単一の画像として、あるいはそれぞれを別の画像としてデータ処理するように構成することができる。
【００２５】
上記の検出装置により被検出部におけるイオン交換樹脂層を検出する方法は、光源から被検出部の限定された領域に照射光を照射し、被検出部に存在するイオン交換樹脂層からの反射光を撮像部材で受けて撮像する。このとき撮像部材のＡＧＣ機構により、半値角外の低輝度領域の輝度を測光し、または半値角外の低輝度領域を含む領域の平均輝度を測光して輝度制御するのが好ましい。この場合、撮像画面の高輝度領域からデータ処理部により輝度信号を取出して解析し、イオン交換樹脂層の存在、特にイオン交換樹脂層の界面の存在を検出する。透光面を通して被検出部に存在する粒状物を検出する場合は、光源から透光面を通して被検出部に光を照射し、透光面からの反射光とイオン交換樹脂層からの反射光が重ならない位置において、輝度信号をデータ処理部に取出すことにより、透光面からの反射光によるノイズを除去して、イオン交換樹脂層の存在を検出することができる。
【００２６】
イオン交換樹脂の場合、ゲル型カチオン交換樹脂のような透明な粒状物のみの存在を検出することができ、これによりゲル型カチオン交換樹脂層と水相の界面を検出することができる。ゲル型カチオン交換樹脂のような透明な粒状物とともに不透明なゲル型アニオン交換樹脂等の不透明な粒状物が共存している場合でも、反射光の強度の違いや変化の違い等がある場合にはそれぞれ存在を検出することができる。イオン交換樹脂の場合、カチオン交換樹脂およびアニオン交換樹脂の混合樹脂が分離される分離塔の樹脂層の分離界面付近に検出装置を設け、検出装置の輝度信号により樹脂層の界面を検出することができる。
【００２７】
照明光の指向角が広い場合には、樹脂層の広い範囲にわたって光が照射され、撮像画面の広い領域の輝度が高くなり、高い輝度を基準として輝度制御が行われるため、撮像される面全体が明るくなって高輝度の領域の輝度の差が強調され、低輝度の領域の受光感度が低く調整されているが、被検出部に狭半値角の照射光を、半値角内の高輝度領域が１／２以下となるように照射し、半値角外の低輝度領域を含む領域の輝度を測光して輝度制御することにより、適正な輝度の画像を得、イオン交換樹脂層の検出精度を高めることができる。
【００２８】
このようにして被検出部におけるイオン交換樹脂層からの反射光を撮像部材で受光して撮像し、撮像画面の画像信号から、データ処理部において、高輝度領域に含まれる上下方向の画素列を走査して輝度信号を取出し、イオン交換樹脂層の有無を画素列の輝度レベルにより判定して検出する。この場合、アニオン交換樹脂層は着色不透明樹脂であるため反射光が多く、輝度レベルは飽和レベルに達する。これに対してカチオン交換樹脂層は光源が映り込んだ画像が得られるため、ダイヤモンドダスト状に光輝部が分散した状態であり、輝度レベルは中間値で変動する。このため走査により得られる画素列の輝度レベルを設定された標準値と比較することにより、それぞれの樹脂層および界面を検出することができる。
【００２９】
カチオン交換樹脂層とアニオン交換樹脂層の界面付近からアニオン交換樹脂を排出する場合、アニオン交換樹脂層の大部分が排出されたにもかかわらず、アニオン交換樹脂が、層を形成するほどではないが、少量残留し、これがのぞき窓より奥のカチオン交換樹脂層の上に堆積する場合、あるいは水相に舞い上がる場合には、着色した少量のアニオン交換樹脂は、輝度レベルが飽和せずに分散した状態になるため、カチオン交換樹脂との識別が困難であり、カチオン交換樹脂層と水相の界面の検出が困難になる。このような場合、撮像モード制御部により光源の照射モードおよび／または撮像部材の撮像モードを切り替えて、撮像部材によりイオン交換樹脂層の有無を検出し、データ処理部において、異なるモードの検出結果からイオン交換樹脂層の界面を判定することができる。照射モードおよび撮像モードとしては、上記のようなモードの切換ができるが、例えば通常の照射モードおよび撮像モードから界面より下部の照射および／または撮像を行うモードに切換えて撮像を行うと、のぞき窓より奥のカチオン交換樹脂層の上に堆積する、あるいは水相に舞い上がるアニオン交換樹脂は下部のカチオン交換樹脂層の陰になって撮像されないので、この結果により通常モードのデータを補正することにより、界面の判定を正確に行うことができる。
【発明の効果】
【００３０】
本発明では、光源から被検出部に狭半値角の照射光を照射し、被検出部におけるイオン交換樹脂層からの反射光を撮像部材で受光して撮像し、データ処理部において、撮像画面の画像信号から、高輝度領域に含まれる上下方向の画素列を走査して輝度信号を取出し、イオン交換樹脂層の有無を検出し、撮像モード制御部により光源の照射モードおよび／または撮像部材の撮像モードを切り替えてイオン交換樹脂層の有無を検出し、異なるモードの検出結果からイオン交換樹脂層の界面を判定するようにしたので、簡単な装置により短時間で透明イオン交換樹脂を高精度で検出でき、透明イオン交換樹脂層が透明液体中にある場合でも透明イオン交換樹脂層と透明液体とを識別することができ、またアニオン交換樹脂が一部残留してのぞき窓より奥のカチオン交換樹脂層の上に堆積しあるいは舞い上がる場合でも、カチオン交換樹脂層と水相の界面の検出が容易である。
また撮像モード制御部で、通常の照射モードおよび撮像モードから界面より下部の照射および／または撮像を行うと、簡単な手段および走査により、一部残留するアニオン交換樹脂の撮像を防止することができ、これにより樹脂界面を高精度で検出することができる。
【発明を実施するための最良の形態】
【００３１】
以下、本発明の実施の形態を図面により説明する。図１は実施形態のイオン交換樹脂層の検出装置の基本的な構成を示す構成図、図２（ａ）は検出装置の一部の正面図、（ｂ）はそのＡ−Ａ断面図、図３は実施例１の撮像画面を示す正面図、図４（ａ）は実施例１の輝度レベルチャート、（ｂ）は比較例１の輝度レベルチャートであり、イオン交換樹脂の分離塔に適用した例を示す。図１は基本的な構成を説明するために、単層の樹脂を充填した例を示している。図４（ａ）、（ｂ）は走査線の下端（０）から上方向へ至る輝度の変化を、グレースケールの２５６階調の輝度レベルで表示している。
【００３２】
図１において、１は分離塔で、透明なイオン交換樹脂からなる球状の透明樹脂２が充填されて樹脂層３が形成され、上部の水相４との間に界面５が形成されている。分離塔１にはのぞき窓６が設けられ、透明ガラスがはめ込まれて透光面７が形成され、その界面５付近が被検出部８となっている。１０は検出装置で、光源１１、結像部材１２を有する撮像部材１３、データ処理部１４および撮像モード制御部１７から構成されている。
【００３３】
光源１１は狭半値角±θのＬＥＤを使用し、半値角±θ内の高輝度領域２１が被検出部８の１／３以下となるように被検出部８に照射する位置に、のぞき窓６の片側に寄せて、樹脂層３の界面５を横切るように、上下方向に間隔を置いて複数個配置されている。実施例ではＬＥＤ照明は中心波長８７０ｎｍ、半値角０±１０°（−６ｄＢ：放射強度半値角）、最大出力１０ｍＷ（駆動電流ＩＦ＝２０ｍＡ）のものを使用した。この光源１１はのぞき窓６の透光面７から樹脂層３の側面に対して直接照射されるように配置されている。
【００３４】
撮像部材１３は、結像部材１２としてレンズにより被検出部８の撮像画面２３を形成するＣＣＤカメラ（1/3”   25万画素、SN比48dＢ）が用いられている。結像部材１２は光源１１の照射光の中心軸から２５ｍｍ離れた位置を中心とするように配置され、被検出部８の半値角±θ内の高輝度領域２１、および片側の半値角±θ外の低輝度領域２２の全域を撮像するように配置されている。また撮像部材１３は複数個の光源１１の群に対応して、上下に３個配置されている。撮像部材１３は輝度制御を行うＡＧＣ機構を有し、半値角±θ外の低輝度領域を含む領域の輝度を測光して輝度制御するように構成されている。ＡＧＣ機構の測光方式は、半値角外の低輝度領域を含む全領域の平均輝度を測光して輝度制御するものが使用されているが、中心測光方式その他、半値角±θ外の低輝度領域を含む領域の輝度を測光して輝度制御するものでもよい。
【００３５】
光源１１のＬＥＤ照射光が直接照射されている位置では、のぞき窓６の透光面７の表面および裏面において、透光面７と空気または樹脂層３を満たす水との屈折率の差から反射光ａが発生するが、領域を限定して狭半値角の照射光を照射することにより、透光面７からの反射光ａと透明樹脂２からの反射光ｂが重なることはなく、このため撮像部材１３には透光面７からの反射光ａは結像せず、透明樹脂２からの反射光ｂを撮像部材１２で受けて光源１１の実像のみが撮像画面２３に結像するように、光源１１と撮像部材１３が配置される。データ処理部１４は、画像処理部１５および演算判定部１６から構成され、撮像部材１３によって得られる被検出部８の撮像画面２３の高輝度領域２１ａから輝度信号を取出し、イオン交換樹脂層３、特にその界面５を検出するように構成されている。
【００３６】
データ処理部１４は、画像処理部１５が、樹脂層３の界面を５横切るように配置された複数個の光源１１の列に平行な走査線２４に沿って、撮像画面２３の高輝度領域２１ａを上下方向に走査し、樹脂層３の界面５を横切る画素列の輝度信号を得、各位置の輝度の値を比較して樹脂層３の界面５を検出するように構成されている。演算判定部１６は撮像画面２３の画素毎の受光レベルデータを入力して演算処理し、演算結果をあらかじめ入力されている判定条件と比較して、水相、樹脂層（アニオン交換樹脂、カチオン交換樹脂）を判断するように構成されている。
【００３７】
データ処理部１４におけるイオン交換樹脂層３の検出は、走査により得られる画素列の輝度レベルにより判定するように構成されている。水相４は反射光がないため輝度レベルはゼロになる。イオン交換樹脂層３がアニオン交換樹脂層の場合は着色不透明樹脂であるため反射光が多く、輝度レベルは飽和レベルに達する。これに対してカチオン交換樹脂層の場合は光源が映り込んだ画像が得られるため、ダイヤモンドダスト状に光輝部が分散した状態であり、輝度レベルは中間値で変動する。このような標準値を設定値としてメモリに記憶させておき、走査により得られる画素列の輝度レベルを上記の標準値と比較することにより、それぞれの樹脂層３および界面５を検出するように構成されている。
【００３８】
上記の輝度レベルの標準値は、ＡＧＣ機構により撮像部材１３の感度が適正に制御された状態のものであり、前述のように高い輝度を基準として輝度制御が行われ、撮像画面２３全体が明るくなってしまうと、高輝度のアニオン交換樹脂の輝度の差が強調されて輝度レベルの値が変動し、アニオン交換樹脂層の存在が不明確になる。低輝度の領域の受光感度が低く調整され、カチオン交換樹脂層の輝度レベルが低くなって、カチオン交換樹脂層と水相の区別ができにくくなるとともに、カチオン交換樹脂層の輝度レベルの値は変動するため、カチオン交換樹脂層とアニオン交換樹脂層の界面が不明確になる。このようなことがなく、前記標準状態に調整するようにＡＧＣ機構により撮像部材１３の感度が適正に制御されている。
【００３９】
撮像モード制御部１７は、照明制御部１８および撮像部材制御部１９から構成され、光源１１の照射モードおよび／または撮像部材１３の撮像モードを切り替えるように構成されている。照明制御部１８は、複数の光源の全てを点灯し、それぞれ被検出部に対して垂直方向に照射光を照射する標準照射モードと、界面より下部の光源を点灯し、被検出部に対して垂直方向に照射光を照射する特殊照射モードとを切り替えるように構成されている。また照明制御部１８は、半値角内の高輝度領域が１／２以下となる位置に照射するよう光源１１を発光駆動するように構成されている。撮像部材制御部１９は、撮像部材１３の撮像条件等を設定するように構成されており、撮像モードの切り替えを行わない構成となっているが、撮像モードを切り替えるように構成してもよい。２０は界面制御部であり、検出結果により界面５を制御するように構成されている。
【００４０】
以下、上記の検出装置１０による樹脂の検出方法について説明する。まずデータ処理部１４からの命令により照明制御部１８から光源１１に電源が供給され、光源１１（ＬＥＤ）は発光する。このとき光源１１は樹脂層３に対して光軸が垂直になる方向に設定され、半値角±θ内の高輝度領域２１が被検出部８の１／３以下となるように、界面５の被検出部８を照射する。撮像部材１３は、被検出部８の半値角±θ内の高輝度領域２１、および片側の半値角±θ外の低輝度領域２２の全域を撮像するが、ＡＧＣ機構により、半値角±θ外の低輝度領域２２を含む全領域の平均輝度を測光し自動的に輝度制御して、被検出部８を撮像し、撮像画面２３を形成する。
【００４１】
このとき撮像部材１３は、界面５に隣接する樹脂層３の一粒一粒の樹脂２の表面に映り込む光源１１の虚像にカメラの焦点を調整すると、撮像部材（カメラのＣＣＤ）１３に光源１１の実像が結像する。撮像部材１３の撮像画面２３の撮像信号は、データ処理部１４の画像処理部１５で輝度信号として画像処理される。そして演算判定部１６で画素毎の輝度レベルデータを入力して演算処理され、あらかじめ入力されている判定条件と演算結果を比較して、水相４か樹脂層３（アニオン交換樹脂、カチオン交換樹脂）かを判定する。
【００４２】
図１では単層の樹脂を充填した例を示しており、これにより透明樹脂層を撮像する場合の基本的な構成を説明すると、撮像部材１３の撮像範囲に樹脂層３が上昇し、樹脂層３内の樹脂２の表面に照射光が反射するとき、撮像画面に画像が形成される。このとき、水相４には樹脂２は存在しないため、その輝度レベルはゼロである。これに対して、樹脂層３の存在する下部においては、樹脂２に映り込んだ光源１１の照射光が反射してくるため、照明手段の映り込んだ部分と、映り込んでいない部分の存在により、輝度レベルは上下で大きく変動をする。上下方向に並んだ走査画素列の輝度レベルは、そのまま画像処理部１５に入力されて数値化され、メモリに格納される。そして格納されたデータは演算判定部１６により、計測すべき縦方向の位置と、あらかじめ設定された領域に相当する画素データと共に入力され、演算される。
【００４３】
いま演算判定部１６が樹脂界面５以外の水相４または樹脂層３を対象に演算を実施する時、水相４においては求められる輝度が小さくなることから、また樹脂層３においては輝度が大きくなることから、評価を実施している部分が水相４か樹脂層３かを判定する。以上のようにして、演算判定部１６は評価を実施している部分が樹脂層３か水相４か、または樹脂層３と水相４の界面５かを判別することが可能となり、演算判定部１６は樹脂層３・水相４・界面５の各判定結果を出力し、界面制御部２０により界面５を制御することができる。
【００４４】
図１は基本的な構成を説明するために単層の樹脂を充填した例を示しているが、本発明で対象とするイオン交換樹脂は、カチオン交換樹脂とアニオン交換樹脂を組み合わせて使用する場合がある。混床式のイオン交換樹脂層を分離する場合、カチオン交換樹脂層の上にアニオン交換樹脂層が積層された状態で分離される構成となり、分離界面を樹脂移送管の開口面に一致させてアニオン交換樹脂を排出することにより、カチオン交換樹脂層が残留することになる。図３はこのような例における撮像画面２３を示しているが、撮像される被検出部８も同様の構成となっている。図３では、カチオン交換樹脂層３ａの上に積層されたアニオン交換樹脂層３ｂが排出される過程を示しており、残留するアニオン交換樹脂層３ｂの上に水相４ａが形成されている。図３では撮像画面２３に撮像された画像を示しており、光源１１ａも反射光が画像として示されている。２１ａは撮像画面２３の高輝度領域、２２ａは撮像画面２３の低輝度領域、２４は走査線を示す。
【００４５】
上記のようにカチオン交換樹脂およびアニオン交換樹脂の混合樹脂が分離される分離塔の樹脂層の分離界面付近に検出装置を設けて樹脂層の界面５を検出する場合、アニオン交換樹脂層３ｂは着色されているため輝度が高い。カチオン交換樹脂がゲル型である場合は透明樹脂であるため、カチオン交換樹脂層３ａの輝度は低い。このため撮像部材１３のＡＧＣ機構で測光する輝度は、アニオン交換樹脂層３ｂの輝度が主たる輝度になり、他の部分の輝度は低い。
【００４６】
この場合、照明光の半値角±θが広いと、広い範囲にわたって光が照射され、撮像画面２３の広い領域の輝度が高くなり、高い平均輝度を基準として輝度制御が行われる。そのため撮像画面２３のアニオン交換樹脂層３ｂの全体が明るくなり、高輝度領域の輝度の差が強調され、低輝度領域の受光感度が低く調整される。このときアニオン交換樹脂の輝度が高いため、アニオン交換樹脂層３ｂの微かな輝度の差が強調されてアニオン交換樹脂層３ｂの存在が不明確になり、またカチオン交換樹脂層３ａの輝度が低くなり、カチオン交換樹脂層３ａと水相４ａの区別ができにくくなる。
【００４７】
図２（ｂ）における破線２６は、比較例１として広半値角（０±３０°）のＬＥＤを光源１１として用いた場合の半値角±θ１を構成する線を示している。図３における破線２６ａは広半値角（０±３０°）の場合における半値角±θ１に対応する線、すなわちアニオン交換樹脂層３ｂの高輝度領域と低輝度領域の境界を示しており、広範囲にわたり高輝度領域の照射が行われる。この場合、ＡＧＣ機構は広範囲にわたる高輝度領域の輝度を測光して輝度制御が行われるため、撮像画面の全体を高輝度側に輝度制御する。図４（ｂ）はこのような場合に、図３の走査線２４にそって撮像画面２３の画素列を走査した比較例１の輝度レベルチャートであり、グレースケールで２５６階調の輝度レベルを表示している。ここではアニオン交換樹脂層３ｂの微かな輝度の差が強調されて、輝度の強弱が表示されており、アニオン交換樹脂層３ｂが存在するのかどうかが不明確になっている。またカチオン交換樹脂層３ａの輝度が低くなり、カチオン交換樹脂層３ａと水相４ａの区別ができにくくなる。
【００４８】
これに対して図２において実線２５は、実施例１として狭半値角±θ（０±１０°）のＬＥＤを光源１１として用いた場合の半値角±θを構成する線を示している。ここでは照射光を被検出部８に、半値角±θ内の高輝度領域２１が被検出部８の１／２以下となるように照射し、半値角±θ外の低輝度領域２２を含む領域の輝度を測光して輝度制御することにより、高輝度領域２１の輝度より低い適正な輝度の画像を得、イオン交換樹脂層３の検出精度を高めることができる。図３における実線２５ｃはこの場合におけるアニオン交換樹脂層３ｂの高輝度領域２５ａと低高輝度領域２５ｂの境界を示しており、限られた狭い範囲に高輝度領域２５ａの照射が行われ、広い低輝度領域が形成される。
【００４９】
図４（ａ）はこのような場合に、図３の走査線２４にそって走査した実施例１の輝度レベルチャートであり、アニオン交換樹脂層３ｂの輝度は飽和していて、アニオン交換樹脂層３ｂが存在することが明確になっている。またカチオン交換樹脂層３ａの輝度の差が強調されて、カチオン交換樹脂層３ａとアニオン交換樹脂層３ｂの区別が容易になっている。このため高輝度領域２１が狭くなるような照明を行ってＡＧＣ機構で輝度制御してイオン交換樹脂の検出を行うことにより、アニオン交換樹脂層３ｂ、カチオン交換樹脂層３ａの存否、ならびにこれらと水相４との界面５を正確に検出することができる。
【００５０】
アニオン交換樹脂が排出されてアニオン交換樹脂層３ｂが撮像画面２３から消えると、撮像画面２３にはカチオン交換樹脂層３ａの上に水相４が形成されるが、これらはいずれも輝度が低いので、撮像部材１３のＡＧＣ機構は低輝度領域を測光して低輝度側に輝度制御する。この状態ではカチオン交換樹脂層３ａに映り込む光源１１の反射光が撮像画面２３に撮像されるので、この高輝度領域を走査すると、カチオン交換樹脂層３ａの輝度レベルの差が強調されて得られる。このためカチオン交換樹脂層３ａと水相４の界面５の位置も容易に検出できる。
【００５１】
図５は一部のアニオン交換樹脂が残留する場合として、実施例２の撮像画面を示す正面図であり、アニオン交換樹脂層３ｂの大部分が排出されたにもかかわらず、残留する一部のアニオン交換樹脂３ｃがのぞき窓６の透光面７より奥のカチオン交換樹脂層３ａの上部に堆積し、あるいは舞い上がって、走査線２４と重なっている状態を示している。図６は図５の実施例２における輝度レベルチャートを示し、（ａ）は残留する一部のアニオン交換樹脂が撮像されない例、（ｂ）は撮像される例を示す。図６（ｂ）は、複数の光源の全てを点灯し、それぞれ被検出部に対して垂直方向に照射光を照射する標準照射モードで撮像した場合の輝度レベルチャートであり、残留する一部のアニオン交換樹脂層３ａが撮像され、その画像が走査線２４と重なっているため、輝度レベルはカチオン交換樹脂層３ａと、残留する一部のアニオン交換樹脂３ｃの両方の輝度レベルを表示している。画像処理部１５で得られるこのような輝度レベルチャートから、演算判定部１６が樹脂界面５を検出することはできない。
【００５２】
このようなとき撮像部材制御部１９は、光源１１の照射モードおよび／または撮像部材１３の撮像モードを切り替えることにより、残留する一部のアニオン交換樹脂３ｃが撮像されないようにし、演算判定部１６が樹脂界面５を正確に検出することを可能にする。この実施例では、照明制御部１８は、複数の光源の全てを点灯し、それぞれ被検出部に対して垂直方向に照射光を照射する標準照射モードから、界面より上部の光源を消灯し、界面より下部の光源を点灯し、被検出部に対して垂直方向に照射光を照射する特殊照射モードに切り替えるようにされている。この切換により、のぞき窓６より奥のカチオン交換樹脂層３ａの上に堆積する、あるいは水相に舞い上がるアニオン交換樹脂３ｃは下部のカチオン交換樹脂層３ａの陰になって撮像されなくなる。この結果により通常モードのデータを補正することにより、界面５の判定を正確に行うことができる。図６（ａ）はこのようにして残留する一部のアニオン交換樹脂が撮像されない特殊照射モードで撮像した場合の輝度レベルチャートであり、残留する一部のアニオン交換樹脂層の輝度レベルは表示されず、カチオン交換樹脂層３ａのもの輝度レベルが表示されている。
【００５３】
通常の標準照射モードでは、カチオン樹脂層３ａ、アニオン樹脂層３ｂが並存する際には、界面５に対して垂直に並んだ全ての光源１１を点灯し、得られる信号をもとに界面検出を実施する。これはカチオン樹脂層３ａでは照明が結像し、アニオン樹脂層３ｂでは強い反射が得られる現象を基に、界面判定制御の演算を実施しているためである。このように全点灯した場合、樹脂塔奥側のアニオン樹脂３ｃとカチオン樹脂３ａの界面５との信号の区別が出来ない結果、実際の界面高さよりも高い界面位置を表示する場合が発生するため、以下の方法を適用する。
【００５４】
すなわちアニオン樹脂層３ｂが検出されず、カチオン樹脂層３ａの界面５のみが計測される状態が一定時間継続した場合に、特殊照明モードとして、界面５以下の光源１１のみを発光させるモードに照明を切り替える。ただし、この場合でもアニオン樹脂層３ｂが一定時間検出された場合、または界面５を見失った場合には、標準照明モードに戻り全ての照明手段を点灯させる。照明の点灯位置は、照明の取り付けられた中心位置とカメラの中心位置を物理的な方向距離で算出することによって定義づけを行う。特殊照明モードとしては、このような照明の点灯位置に替えて、使用する照明手段および／または撮像手段を、各々の光軸を上側に向けることにより、樹脂塔奥側に存在したり舞上ったりする樹脂を撮像しないように構成することもできる。
【００５５】
アニオン樹脂、カチオン樹脂の混合状態からアニオン樹脂が排出され、樹脂分離塔内の大半をカチオン樹脂と水とが占める状態において、樹脂表面上を浮遊するアニオン樹脂の塊をカチオン樹脂と判定する誤検知対策として、時分割的に照明発光位置を変更する界面判定方法について、以下に述べる。図１において、画像処理部１５で取り込んだ信号を輝度に変換した後、輝度信号の変化をもとに演算判定部１６において、アニオン信号（アニオン交換樹脂／水）、カチオン信号（カチオン交換樹脂／アニオン交換樹脂、または、カチオン交換樹脂／水）の境界面高さを、界面制御部２０と照明制御部１８に出力する。照明制御部１８では、カチオン交換樹脂界面上に存在するアニオン交換樹脂に強い光があたることを防ぐため、通常すべての照明手段（ＬＥＤ）を点灯して計測する標準照明モードにおいて、アニオン交換樹脂層が検出されず、カチオン交換樹脂層と水相との界面のみ計測される状態が一定時間継続したことをもって、界面５以下の光源１１（ＬＥＤ）のみを発光させる特殊照明モードに照明を切り替える。ただし、この場合でもアニオン樹脂層が一定時間検出された場合、または界面を見失った場合には、通常の標準照明モードに復帰させる。
【００５６】
以下に、照明制御ロジックの一例を示す。
１）インターロック有効（入力接点閉）で、全点灯（標準照明モード１）。
２）アニオン交換樹脂層が設定時間Ｔ１（秒または判定処理回数）検出されなかった場合、条件１が成立。
３）カチオン交換樹脂層が計測されている場合、条件２が成立。
４）条件１と２が共に成立した場合、照明を部分点灯（特殊照明モード２）に移行。
５）特殊照明モード２における点灯位置は、界面位置より設定値Ｌ１（０〜２）個下の位置とし、点灯する照明数は設定値Ｎ１によって決定するものとする。
６）点灯すべき照明数がＮ１個以下の場合は、指定された点灯位置以下すべての照明を点灯するものとする。
７）上記条件１および条件２のいずれかが崩れた状態が設定時間Ｔ２以上継続した場合には、標準照明モード１にもどす。
上記において、照明の点灯位置は、照明の取り付けられた中心位置とカメラの中心位置を物理的なＹ方向距離で算出することによって定義する。
【００５７】
以上のように、照明手段、または受光手段を複数個設置し、これらを検出している樹脂界面にあわせて適宜位置変更することにより、樹脂塔内部への投光の制限、樹脂塔内部への視野の制限が可能になった。なお、図５において、残留するアニオン交換樹脂３ｃと重ならない走査線２４ａで走査できる場合には、その検出結果により、データの補正が可能である。またカチオン交換樹脂層３ａの上部に輝度レベルゼロの水相４を検出しているため、さらに上の領域に輝度レベルの高い部分が検出されても、これを無視してカチオン交換樹脂層３ａと水相４の境界を界面と判定するロジックを組み込むことによっても、誤検出を防止することができる。
【産業上の利用可能性】
【００５８】
本発明は、イオン交換樹脂の検出方法および装置、特にカチオン交換樹脂、アニオン交換樹脂などの透明液体中に存在するイオン交換樹脂層の界面を検出するのに適したイオン交換樹脂の検出装置および方法に利用可能である。
【図面の簡単な説明】
【００５９】
【図１】実施形態のイオン交換樹脂の検出装置を示す構成図である。
【図２】（ａ）は実施形態の検出装置の一部の正面図、（ｂ）はそのＡ−Ａ断面図である。
【図３】実施例１の撮像画面を示す正面図である。
【図４】（ａ）は実施例１の輝度レベルチャート、（ｂ）は比較例１の輝度レベルチャートである。
【図５】実施例２の撮像画面を示す正面図である。
【図６】実施例２の輝度レベルチャートを示し、（ａ）は残留する一部のアニオン交換樹脂が撮像されない例、（ｂ）は撮像される例を示す。
【符号の説明】
【００６０】
１  分離塔
２  透明樹脂
３  樹脂層
４  水相
５  界面
６  のぞき窓
７  透光面
８  被検出部
１０  検出装置
１１  光源
１２  結像部材
１３  撮像部材
１４  データ処理部
１５  画像処理部
１６  演算判定部
１７  撮像モード制御部
１８  照明制御部
１９  撮像部材制御部
２０  界面制御部
２１  高輝度領域
２２  低輝度領域
２３  撮像画面
【図１】
2007209882.tif 000003
【図２】
2007209882.tif 000004
【図３】
2007209882.tif 000005
【図４】
2007209882.tif 000006
【図５】
2007209882.tif 000007
【図６】
2007209882.tif 000008